(57)【要約】  【課題】簡単な構成で内視鏡に内蔵された管路内の滅菌を速やかに、且つ確実に行うことができる内視鏡を提供する。  【解決手段】本発明の内視鏡１は、一端が挿入部１Ｂの先端部１ｃで内視鏡外部に開口し、他端が挿入部１Ｂ以外の部位（処置具挿入口３Ｃ、操作部開口部３Ｂ、コネクタ部開口部３Ａ等）で内視鏡外部に開口する管路３を少なくとも一つ有し、この管路３の外側に配され、内視鏡の外装部材２で覆われて密閉された空間部６を有し、この空間部６の全体、もしくは少なくとも一部に、熱伝導特性のある熱伝導性体（流体又は固体）５を充填している。  【選択図】図１
2005168607.tif 000002
【特許請求の範囲】
【請求項１】
一端が挿入部先端部で内視鏡外部に開口し、他端が挿入部以外の部位で内視鏡外部に開口する管路を少なくとも一つ有し、この管路の外側に配され、内視鏡外皮部で覆われて密閉された空間部を有する内視鏡において、
前記空間部の全体、もしくは少なくとも一部に、熱伝導特性のある熱伝導性体を配置したことを特徴とする内視鏡。
【発明の詳細な説明】
【技術分野】
【０００１】
本発明は、高温高圧蒸気滅菌（以下、オートクレーブ滅菌と称す）あるいはエチレンオキサイドガス滅菌（Ethylene Oxide Gas滅菌で、以下、ＥＯＧ滅菌と称す）による滅菌処理が可能な内視鏡に係り、特に内視鏡に内臓された管路内の滅菌処理を速やかに、且つ確実に行うことのできる内視鏡に関する。
【背景技術】
【０００２】
体腔内等に挿入することによって体腔内の深部等を観察したり、必要に応じて処置具を用いることにより治療処置等を行なうことができる内視鏡が医療分野において広く用いられるようになった。  
医療用内視鏡の場合、使用した内視鏡を確実に消毒滅菌することが感染症等を防止するために必要不可欠になる。
【０００３】
最近では、消毒滅菌を行う場合、煩雑な作業を伴わず、滅菌後にすぐに使用でき、しかもランニングコストの面でも有利となるオートクレーブ滅菌（高温高圧蒸気滅菌）、あるいはＥＯＧ滅菌が内視鏡機器の滅菌方法として用いられる場合もある。
【０００４】
このようなオートクレーブ滅菌やＥＯＧ滅菌の滅菌方法では、例えば内視鏡を滅菌用収納ケースや滅菌用パックに収容して滅菌装置のチャンバ内に収納して行われるようになっている。また、このような滅菌方法では、滅菌工程時に内視鏡の細部にまで蒸気をより浸透させるために、滅菌工程の前に減圧するバキューム工程が行われている。このバキューム工程は、前記チャンバ内を減圧させることによって内視鏡全体に高圧高温蒸気が行き渡るようにしている。
【０００５】
ところが、前記バキューム工程を行うと、前記チャンバ内が減圧されることから、前記内視鏡の外装の最も柔軟に部分、一般には湾曲部の被覆チューブ（蛇管）が、減圧時に膨らんで破裂してしまう虞れがある。  
このため、前記内視鏡を低圧環境に耐えられる構造にする必要があり、例えば特開平５−２５３１６８号公報の従来技術では、内視鏡を高温高圧蒸気滅菌する際に、内視鏡内外の圧力差による内視鏡の外皮（被覆部）の破損を防ぐための内圧調整機構を有する内視鏡の内圧調整装置が開示されている。
【特許文献１】特開平５−２５３１６８号公報
【発明の開示】
【発明が解決しようとする課題】
【０００６】
しかしながら、上記従来例に示すように、内視鏡に前記内圧調整機構を設けて構成して場合、減圧時に内視鏡の外装（外皮）と内視鏡内部の管路との空間部が真空状態になるため、内視鏡の周囲の温度が上昇しても内視鏡内部の温度は温まりにくくなる。したがって、滅菌をしたい内視鏡管路内に蒸気等を浸透させても、その蒸気等が管路全体へ行き渡る前に管路の外から温度を奪われてしまい、特にその蒸気等は、管路の奥にいくほど、蒸気の温度は上昇しにくくなり、滅菌を確実に行うには、かなりの時間がかかる虞れがあった。る。また、内圧調整機構を設けてないものにおいても、同様の問題が発生する。
【０００７】
そこで、本発明は上記事情に鑑みてなされたもので、簡単な構成で内視鏡に内蔵された管路内の滅菌を速やかに、且つ確実に行うことができる内視鏡を提供することを目的とする。
【課題を解決するための手段】
【０００８】
上記目的を達成するために本発明の内視鏡は、一端が挿入部先端部で内視鏡外部に開口し、他端が挿入部以外の部位で内視鏡外部に開口する管路を少なくとも一つ有し、この管路の外側に配され、内視鏡外皮部で覆われて密閉された空間部を有する内視鏡において、前記空間部の全体、もしくは少なくとも一部に、熱伝導特性のある熱伝導性体を配置したことを特徴とするものである。
【発明の効果】
【０００９】
本発明の内視鏡は、簡単な構成で内視鏡に内蔵された管路内の滅菌を速やかに、且つ確実に行うことができるといった利点がある。
【発明を実施するための最良の形態】
【００１０】
以下、図面を参照して本発明の実施例を説明する。
【実施例１】
【００１１】
図１乃至図３は本発明に係る内視鏡の第１実施例を示し、図１は内視鏡全体の概略構成を示す断面図、図２及び図３は本実施例の作用を説明するためのもので、図２は従来の内圧調整機構を施した内視鏡を用いて滅菌した場合における蒸気等の熱の移動経路を示した説明図、図３は本実施例の内視鏡を用いて滅菌した場合における蒸気等の熱の移動経路を示した説明図である。
【００１２】
図１に示すように、本実施例の内視鏡１は、図示しない撮像手段を有し、この撮像手段により得られた信号を、図示しない信号ケーブルを介してビデオプロセッサ（図示せず）に供給する。そして、図示しないビデオプロセッサは、供給された信号を処理して図示しないモニタに出力することにより、このモニタ(図示せず）には前記ビデオプロセッサの出力される被写体像に対応する映像が表示されるようになっている。
【００１３】
前記内視鏡１は、観察や処置等の内視鏡検査に使用された後には、洗浄された後に、高温高圧蒸気により滅菌処理を行うことが可能なように、高温高圧蒸気に対する耐性を備えた部材で構成されている。
【００１４】
前記内視鏡１は、可撓性を有する細長の挿入部１Ｂと、挿入部１Ｂの基端側に接続された操作部１Ａと、操作部１Ａの側部から延出された可撓性を有する連結コード（ユニバーサルコード）１Ｃと、この連結コード１Ｃの端部に設けられ、図示しないビデオプロセッサに着脱自在に接続される信号ケーブルのコネクタが着脱自在に接続可能な電気コネクタ部を有し、図示しない光源装置に着脱自在に接続されるコネクタ部１Ｄと、このコネクタ部１Ｄの近傍に設けられ、前記外装部材２の内側の前記空間部６の圧力を調整するための内圧調整機構４と、を有している。
【００１５】
また、前記内視鏡１は、一端が挿入部１Ｂの先端部１ｃで開口し、他端が挿入部１Ｂ以外の部位（処置具挿入口３Ｃ、操作部開口部３Ｂ、コネクタ部開口部３Ａ等）で内視鏡外部に開口し、その内側に流体等を通すための管路３を少なくとも１つ有している。  
なお、本実施例では、説明簡略化のために前記管路３を一つ設けた場合について図示したが、実際には前記管路３は、送気・送水管路、処置具挿通用管路、あるいは吸引用管路等の複数の管路に相当する。
【００１６】
前記挿入部１Ｂは、可撓性を有する柔軟な可撓管部１ａと、この可撓管部１ａの先端側に設けられ、操作部１Ａの操作により湾曲可能な湾曲部１ｂと、先端に設けられ図示しない観察光学系、照明光学系等が設けられた先端部１ｃと、を有している。
【００１７】
前記先端部１ｃには、送気操作、送水操作によって図示しない観察光学系の外表面の光学部材に向けて洗滌液体や気体を噴出するための送気送水ノズル（図示せず）と、前記挿入部１Ｂに配設された処置具を挿通したり体腔内の液体を吸引するための図示しない処置具チャンネル（管路３に相当）の先端側の開口である吸引口３Ｄが設けられている。  
また、前記先端部１ｃには、観察対象物に向けて開口した液体を噴出するための送液口（図示せず）とが設けられている。
【００１８】
前記操作部１Ａの基端側には、前記管路３に連通した処置具挿入口３Ｃが設けられている。また、前記操作部１Ａには、前記管路３と連通する操作部開口部３Ｂが設けられている。
【００１９】
前記コネクタ部１Ｄには、光源装置に内蔵された図示しない気体供給源と着脱自在に接続される気体供給口金１ｄと、図示はしないが液体供給源である送水タンクと着脱自在に接続される送水タンク加圧口金及び液体供給口金とが設けられている。また、前記コネクタ部１Ｄの近傍には、前記管路３と連通するコネクタ部開口部３Ａが設けられている。このコネクタ部開口部３Ａは、例えば吸引口より吸引を行うための図示しない吸引源と接続される吸引口金、あるいは送液口より送水を行うための図示しない送水手段と接続される注入口金に相当する。
【００２０】
また、前記コネクタ部開口部３Ａの背面側には、内視鏡１の内部（空間部６）と外部とを連通する通気部３Ｅが設けられている。この通気部３Ｅには、前記内圧調整機構４が設けられている。この内圧調整機構４は、例えば図示しない圧力調整弁を有する防水キャップであり、この防水キャップは前記通気部３Ｅに着脱自在に接続可能である。
【００２１】
本実施例の内視鏡１は、前記外装部材２と前記管路３との間に配置される空間部６全体、もしくは一部に熱伝導性の良い熱伝導性体５を充填している。この熱伝導性体５は、熱伝導性の良い流体もしくは固体であっても良い。この熱伝導性体５が流体の場合には、沸点が高く且つ飽和蒸気圧が低い流体、特にシリコンオイル等のオイルを用いることが好ましい。また、熱伝導性体５が固体の場合には、銅、または金、銀、アルミ、タングステン、カドミウム、モリブデン、マグネシュウム、ベリリウム、イリジウム、ＳＵＳ、鉄等の金属を用いることが好ましく、その形態は粒子でもペレート状でも構わない。  
なお、本実施例の内視鏡１は、前記熱伝導性体５として流体を用いており、この構成例が図１に示されている。
【００２２】
次に、本実施例の内視鏡１の作用について図２及び図３を参照しながら説明する。  
図２は、内圧調整機構を施した従来の内視鏡を用いて滅菌した場合における蒸気等の熱の移動経路を示したものである。  
いま、内視鏡１をオートクレーブ滅菌またはＥＯＧ滅菌するものとすると、作業者はこの内視鏡１を滅菌用収納ケースや滅菌用パックに収容して滅菌装置のチャンバ内に収納する。
【００２３】
そして、作業者は、より滅菌工程時に内視鏡の細部にまで蒸気を浸透させるために、滅菌工程の前に減圧するバキューム工程を実施する。  
バキューム工程が実施されると、図示しないチャンバ内が減圧されることになる。  
この場合、熱伝導性体５を充填されてない従来の内視鏡では、バキューム工程により減圧されると、前記内圧調整機構４により内圧調整が行われ、つまり、この内圧調整機構４の圧力調整弁が開き、前記内視鏡１の外装２と前記管路３との間に配される前記空間部６の空気が排出される。
【００２４】
続いて、作業者は、滅菌処理工程を実施する。すると、蒸気等がチャンバ内の内視鏡１に給蒸されると、前記内圧調整機構４の圧力調整弁は閉まり、内視鏡１の外装部材２と管路３との間の前記空間部６はほぼ真空状態になる。そのため、チャンバ内の温度が上昇しても内視鏡１の前記空間部６の温度は上昇し難くくなり、冷めたものとなってしまう。
【００２５】
したがって、図２に示すように、管路３の開口部（吸引口３Ｄ、処置具挿入口３Ｃ、操作部開口部３Ｂ、コネクタ部開口部３Ａ等）から進入する蒸気等の熱３ａは、管路３の中央に到達する前に前記空間部６によって冷やされてしまい、つまり、前記熱３ａは、空間部６側方向（図中Ａ矢印方向）に逃げてしまうことになり、その結果、前記管路３の中央は、滅菌が達成できる温度に達しなくなってしまうことになる。
【００２６】
一方、本実施例の内視鏡は、下記に示すように作用する。  
図３は本発明を施した内視鏡を用いて滅菌した場合における蒸気等の熱の移動経路を示したものである。  
図３に示すように、本実施例の内視鏡１では、前記外装部材２の大部分を占める蛇管７から透過した蒸気等の熱７ａ、あるいは内視鏡１に内臓されているファイバーや電気信号線８等の熱８ａは、前記熱伝導性体５による特性によって、図中Ｂ矢印方向、あるいは図中Ｂ１矢印方向に移動するように前記空間部６に伝達されることになる。つまり、前記空間部６は、前記熱伝導性体５を設けたことにより、全くの真空状態よりも温まり易くなる。
【００２７】
したがって、管路３の開口部（吸引口３Ｄ、処置具挿入口３Ｃ、操作部開口部３Ｂ、コネクタ部開口部３Ａ等）から進入する蒸気等の熱３ａは、前記空間部６により冷却されることがなく、前記管路３の中央方向（図中矢印Ｃ方向）にそのまま滅菌達成温度を維持しながら効率良く移動することになる。これにより、前記管路３の中央の温度は、滅菌が確実に行える温度に上昇することになるので、管路３全体を速やかに、且つ確実に滅菌を行うことが可能となる。
【００２８】
したがって、本実施例によれば、管路３の開口部（吸引口３Ｄ、処置具挿入口３Ｃ、操作部開口部３Ｂ、コネクタ部開口部３Ａ等）から進入する蒸気等の熱３ａを、前記熱伝導性体５によって管路３の中央近傍まで滅菌達成温度を維持しながら効率良く浸透することができるため、管路３内を十分に滅菌することが可能になる。これにより、滅菌不良を防ぎ、結果的に医療への安全性、安心感を高めることに大きく寄与する。また、本実施例の内視鏡１は、従来の内視鏡よりも滅菌処理を短時間で行うことも可能となる。
【００２９】
なお、本実施例において、前記熱伝導性体５として流体であるオイル等を用い、前記空間部６全体、あるいは一部に充填した場合、前記内視鏡１は硬くなり難く、従来の内視鏡と同様の性能を発揮できることは勿論である。
【実施例２】
【００３０】
図４及び図５は本発明の内視鏡の第２実施例を示し、図４は内視鏡の構成及び作用を説明するための内視鏡の蛇管の側面断面図、図５は図４に示す蛇管の断面図である。なお、図４及び図５は、前記第１実施例と同様な構成要素については同一の符号を付して説明を省略し、異なる部分のみを説明する。
【００３１】
図４及び図５に示すように、本実施例の内視鏡１は、前記熱伝導性体５としての流体または固体を前記空間部６全体、あるいは一部に充填するのではなく、前記熱伝導性体５としての熱伝導性金属部材９を設け、この熱伝導性金属部材９により管路３の外側の全部、または少なくとも一部を覆うように構成している。
【００３２】
前記熱伝導性金属部材９は、金属メッシュ、または金属コイル等の熱伝導性の良い金属を用いて前記管路３を覆うように管形状に形成されている。この熱伝導性金属部材９としては、例えば銅、または金、銀、アルミ、タングステン、カドミウム、モリブデン、マグネシュウム、ベリリウム、イリジウム、ＳＵＳ、鉄等を用いることが好ましい。  
その他の構成は、前記第１実施例と同様である。
【００３３】
次に、本実施例の内視鏡の作用について図４を参照しなから説明する。  
本実施例の内視鏡１の作用は、基本的には前記第１実施例と略同様である。  
図４に示すように、本実施例の内視鏡１では、管路３の開口部（吸引口３Ｄ、処置具挿入口３Ｃ、操作部開口部３Ｂ、コネクタ部開口部３Ａ等）から進入する蒸気等の熱３ａ、あるいは前記管路３に隣接するファイバーや電気信号線８等の熱８ａは、前記熱伝導性金属部材９による特性によって、図中Ｃ矢印方向、あるいは図中Ｂ２矢印方向に移動するように前記管路３の外装から管路３全体に伝達されることになる。
【００３４】
したがって、管路３の開口部（吸引口３Ｄ、処置具挿入口３Ｃ、操作部開口部３Ｂ、コネクタ部開口部３Ａ等）から進入する蒸気等の熱３ａは、冷却されることがなく、前記管路３の中央方向（図中矢印Ｃ方向）にそのまま滅菌達成温度を維持しながら効率良く移動することになる。これにより、前記管路３の中央の温度は、滅菌が確実に行える温度に上昇することになるので、管路３全体を速やかに、且つ確実に滅菌を行うことが可能となる。
【００３５】
したがって、本実施例によれば、従来の内視鏡構造を大幅に替えることなく、前記第１実施例と同様の効果を得ることが可能となる。
【００３６】
なお、本実施例では、さらに、前記空間部６に前記第１実施例にて用いた熱伝導性体５を充填しても良い。
【実施例３】
【００３７】
図６は本発明の内視鏡の第３実施例を示し、図４は内視鏡の構成及び作用を説明するための内視鏡の蛇管の一部破断した側面断面図である。なお、図６は、前記第１、第２実施例と同様な構成要素については同一の符号を付して説明を省略し、異なる部分のみを説明する。
【００３８】
図６に示すように、本実施例の内視鏡１は、前記第２実施例で用いた管形状の熱伝導性金属部材９ではなく、円柱形状の熱伝導性金属部材１０を設けて構成している。
【００３９】
前記熱伝導性金属部材１０は、円柱形状に形成された金属柱である。この熱伝導性金属部材１０は、外装部材２の所定位置に設けられた開口より管路３の外周上に突き当てるように配置され、その一端が前記外装部材２から露出されるようになっている。  
また、前記外装部材２と前記熱伝導性金属部材１０とが接する部分（開口）には、水密が保てるようにパッキン部材１１が嵌装されている。
【００４０】
前記熱伝導性金属部材１０は、十分な効果が得られる本数を内視鏡１に施すことが好ましい。また、この熱伝導性金属部材１０は、熱伝導性の良い金属であり、例えば銅、または金、銀、アルミ、タングステン、カドミウム、モリブデン、マグネシュウム、ベリリウム、イリジウム、ＳＵＳ、鉄等を用いることが好ましい。なお、本実施例では、前記熱伝導性金属部材１０は、円柱形状に形成したものを用いたが、リング状に形成しても構わない。
【００４１】
その他の構成は、前記第１実施例と同様である。
【００４２】
次に、本実施例の内視鏡の作用について図６を参照しながら説明する。
【００４３】
本実施例の内視鏡１では、前記外装部材２の大部分を占める蛇管７から透過した蒸気等の熱は、前記熱伝導性金属部材１０による特性によって、前記管路３の外装から管路３全体に伝達され、同時に、前記空間部６に伝達されることになる。つまり、前記管路３全体が温まると同時に、前記空間部６も同様に全くの真空状態よりも温まり易くなる。
【００４４】
したがって、管路３の開口部（吸引口３Ｄ、処置具挿入口３Ｃ、操作部開口部３Ｂ、コネクタ部開口部３Ａ等）から進入する蒸気等の熱は、前記空間部６により冷却されることがなく、前記管路３の中央方向にそのまま滅菌達成温度を維持しながら効率良く移動することになる。これにより、前記管路３の中央の温度は、滅菌が確実に行える温度に上昇することになるので、管路３全体を速やかに、且つ確実に滅菌を行うことが可能となる。
【００４５】
したがって、本実施例によれば、従来の内視鏡構造を大幅に替えることなく、前記第２実施例と同様の効果を得ることが可能となる。
【００４６】
なお、本実施例では、さらに、前記空間部６に前記第１実施例にて用いた熱伝導性体５を充填しても良い。
【００４７】
本発明は、以上述べた実施例のみに限定されるものではなく、また、内圧調整機構を設けてないものにおいても、図７に示すように空間部６に熱伝導性体５を設けても良い。例えば、図７に示すように内視鏡１は、内圧調整機構４を設けていない場合、内圧調整機構４の代りに内視鏡内外の気体を連通させるための透過膜を有した透過孔１２を設けている。  また、本発明は、発明の要旨を逸脱しない範囲で種々変形実施可能である。
【００４８】
［付記］
（１）一端が挿入部先端部で内視鏡外部に開口し、他端が挿入部以外の部位で内視鏡外部に開口する管路を少なくとも一つ有し、この管路の外側に配され、内視鏡外皮部で覆われて密閉された空間部を有する内視鏡において、
前記空間部の全体、もしくは少なくとも一部に、熱伝導特性のある熱伝導性体を配置したことを特徴とする内視鏡。
【００４９】
（２）前記熱伝導性体は、熱伝導特性のある流体または熱伝導特性のある固体であり、前記流体と前記固体とのいずれか一方を前記空間部の全体、もしくは少なくとも一部に充填したことを特徴とする付記（１）に記載の内視鏡。
【００５０】
（３）前記流体は、沸点が高く且つ飽和蒸気圧が低い流体であることを特徴とする付記（２）に記載の内視鏡。
【００５１】
（４）前記流体は、シリコンオイル等のオイルであることを特徴とする付記（３）に記載の内視鏡。
【００５２】
（５）前記固体は、銅、または金、銀、アルミ、タングステン、カドミウム、モリブデン、マグネシュウム、ベリリウム、イリジウム、ＳＵＳ、鉄等の金属であることを特徴とする付記（２）に記載の内視鏡。
【００５３】
（６）一端が挿入部先端部で内視鏡外部に開口し、他端が挿入部以外の部位で内視鏡外部に開口する管路を少なくとも一つ有する内視鏡において、
前記管路の全体、もしくは少なくとも一部を、熱伝導特性のある熱伝導性金属体により覆ったことを特徴とする内視鏡。
【００５４】
（７）前記熱伝導性金属体は、前記管路の外周上に常時接触した状態で前記管路を嵌装可能な管形状に形成されたことを特徴とする付記（６）に記載の内視鏡。
【００５５】
（８）前記熱伝導性金属体は、銅、または金、銀、アルミ、タングステン、カドミウム、モリブデン、マグネシュウム、ベリリウム、イリジウム、ＳＵＳ、鉄等を用いて構成されたことを特徴とする付記（６）に記載の内視鏡。
【００５６】
（９）  一端が挿入部先端部で内視鏡外部に開口し、他端が挿入部以外の部位で内視鏡外部に開口する管路を少なくとも一つ有し、この管路の外側に配され、内視鏡外皮部で覆われて密閉された空間部を有する内視鏡において、
前記空間部に、一端が前記内視鏡外皮部に水密に露出し、他端が前記管路と接触するように熱伝導特性のある熱伝導性金属体を設けたことを特徴とする内視鏡。
【００５７】
（１０）前記熱伝導性金属体は、円柱形状に構成されたことを特徴とする付記（９）に記載の内視鏡。
【００５８】
（１１）前記熱伝導性金属体は、複数設けられたことを特徴とする付記（９）または付記（１０）に記載の内視鏡。
【００５９】
（１２）前記熱伝導性金属体は、銅、または金、銀、アルミ、タングステン、カドミウム、モリブデン、マグネシュウム、ベリリウム、イリジウム、ＳＵＳ、鉄等を用いて構成されたことを特徴とする付記（９）乃至付記（１１）のいずれか１つに記載の内視鏡。
【００６０】
（１３）前記空間部と内視鏡外部とを連通する連通口を有し、この連通口に、前記空間部の減圧調整を行うための内圧調整手段を設けたことを特徴とする付記（１）乃至付記（１２）のいずれか１つに記載の内視鏡。
【産業上の利用可能性】
【００６１】
本発明の内視鏡は、内視鏡に内蔵された管路内の滅菌を従来より速やかに、且つ確実に行うことができるので、内視鏡による内視鏡検査が複数例行われ、最初の検査で使用した内視鏡をリプロセスして同じ日に何度も使う場合には特に有効である。
【図面の簡単な説明】
【００６２】
【図１】本発明の内視鏡の第１実施例を示し、内視鏡全体の概略構成を示す断面図。
【図２】従来の内圧調整機構を施した内視鏡を用いて滅菌した場合における蒸気等の熱の移動経路を示した説明図。
【図３】本実施例の内視鏡を用いて滅菌した場合における蒸気等の熱の移動経路を示した説明図。
【図４】本発明の内視鏡の第２実施例を示し、内視鏡の構成及び作用を説明するための内視鏡の蛇管の側面断面図。
【図５】図４に示す蛇管の断面図。
【図６】本発明の内視鏡の第３実施例を示し、内視鏡の構成及び作用を説明するための内視鏡の蛇管の一部破断した側面断面図。
【図７】内視鏡調整機構を設けていない内視鏡に本発明を適用した場合の内視鏡全体の概略構成を示す断面図。
【符号の説明】
【００６３】
１…内視鏡、
１Ａ…操作部、
１Ｂ…挿入部、
１Ｃ…連結コード、
１Ｄ…コネクタ部、
１ａ…可撓管部、
１ｂ…湾曲部、
１ｃ…先端部、
１ｄ…気体供給口金、
２…外装部材、
３…管路、
３Ａ…コネクタ部開口部、
３Ｂ…操作部開口部、
３Ｃ…処置具挿入口、
３Ｄ…吸引口、
３Ｅ…通気部、
４…内圧調整機構、
５…特開平、
５…熱伝導性体、
６…空間部、
７…蛇管、
８…電気信号線、
９、１０…熱伝導性金属部材、
１１…パッキン部材、
１２…透過孔１２。  
代理人    弁理士    伊藤  進
【図１】
2005168607.tif 000003
【図２】
2005168607.tif 000004
【図３】
2005168607.tif 000005
【図４】
2005168607.tif 000006
【図５】
2005168607.tif 000007
【図６】
2005168607.tif 000008
【図７】
2005168607.tif 000009